(57)【要約】      （修正有）【課題】床面に直接敷いて用いることのできる乳幼児用寝具で、乳幼児の転動を安全に防止できる機能を有し、乳幼児が成長すれば、乳幼児用寝具の本体部分を別の形態に組みなおして家具として長く使えるようにした乳幼児用寝具を提供する。【解決手段】本体がクッション材からなる直方体形状のブロックを布製のロ字状の枠体中に複数個封入してなる乳幼児用寝具であり、寝具としての使用が終了すれば上記ブロックの全個数を布製のコ字状の枠体中に封入してなるソファに変換できる乳幼児用寝具を提供する。【選択図】図１
0003142392.tif 000002
【実用新案登録請求の範囲】
【請求項１】
直方体形状のクッション材を布にて被覆した複数個のブロックを、布製のロ字状の枠体中に、相対する２つの長辺に夫々偶数個封入し、また相対する２つの短辺に夫々１個以上封入し、ロ字状の枠体の底面を補強布で連結し、中央に形成される空間に乳幼児用敷マットを嵌設して乳幼児用寝具とし、さらに上記ロ字状の枠体から脱抜したブロックの全てを布製のコ字状の枠体中に２段に積んで封入し、コ字状の枠体の底面を補強布で連結し、中央に形成される空間に上記乳幼児用敷マットを長手方向に２つ折にして布製カバーで被覆した座面を嵌設してソファとすることができることを特徴とする乳幼児用寝具。
【請求項２】
Ｌを単位長さとした場合に、短手方向長さ１Ｌ×長手方向長さ３Ｌ×高さ１．５Ｌの直方体形状のクッション材を布にて被覆したブロック１４個を、布製のロ字状の枠体中に、相対する２つの長辺にブロックの長手方向に夫々４個ずつ連設封入し、また相対する２つの短辺にブロックの長手方向に夫々３個ずつ連設封入し、ロ字状の枠体の底面において相対する２辺どうしを補強布で連結し、中央に形成される空間に幅７Ｌ×奥行１２Ｌの乳幼児用敷マットを嵌設して乳幼児用寝具とし、さらに上記ロ字状の枠体から脱抜した１４個のブロックの全てを、布製のコ字状の枠体中に、相対する２辺にブロックの長手方向に夫々２個ずつ連設し且つ２段積みとして封入し、残る１辺にブロックの長手方向に３個を連接し且つ２段積みとして封入し、コ字状の枠体の底面において３辺を補強布で連結し、中央に形成される空間に幅７Ｌ×奥行１２Ｌの乳幼児用敷マットを長手方向に２つ折にして布製カバーで被覆した座面を嵌設してソファとすることができることを特徴とする請求項１に記載の乳幼児用寝具。
【請求項３】
Ｌを単位長さとした場合に、短手方向長さ１Ｌ×長手方向長さ４.５Ｌ×高さ１．２Ｌの直方体形状のクッション材を布にて被覆した第１ブロック４個と、短手方向長さ１Ｌ×長手方向長さ４Ｌ×高さ１．２Ｌの直方体形状のクッション材を布にて被覆した第２ブロック４個を、布製のロ字状の枠体中に、相対する２つの長辺に第１ブロックを第１ブロックの長手方向に夫々２個ずつ連設封入し、また相対する２つの短辺に第２ブロックを第２ブロックの長手方向に夫々２個ずつ連設封入し、ロ字状の枠体の底面において相対する２辺どうしを補強布で連結し、中央に形成される空間に幅６Ｌ×奥行９Ｌの乳幼児用敷マットを嵌設して乳幼児用寝具とし、さらに上記ロ字状の枠体から脱抜した８個のブロックの全てを、布製のコ字状の枠体中に、相対する２辺に第１ブロックを夫々１個ずつ２段積みとして封入し、残る１辺に第２ブロックを第２ブロックの長手方向に２個を連接し且つ２段積みとして封入し、コ字状の枠体の底面において３辺を補強布で連結し、中央に形成される空間に幅６Ｌ×奥行９Ｌの乳幼児用敷マットを長手方向に２つ折にして布製カバーで被覆した座面を嵌設してソファとすることができることを特徴とする請求項１に記載の乳幼児用寝具。
【請求項４】
単位長さＬを１０ｃｍとしたことを特徴とする請求項２あるいは請求項３に記載の乳幼児用寝具。
【考案の詳細な説明】
【技術分野】
【０００１】
本考案は、乳幼児用寝具及びソファに関するものであり、さらに詳しくは、以下の構成の乳幼児用寝具及びソファに関するものである。
＜構成１＞
直方体形状のクッション材を布にて被覆した複数個のブロックを、布製のロ字状の枠体中に、相対する２つの長辺に夫々偶数個封入し、また相対する２つの短辺に夫々１個以上封入し、ロ字状の枠体の底面を補強布で連結し、中央に形成される空間に乳幼児用敷マットを嵌設して乳幼児用寝具とし、さらに上記ロ字状の枠体から脱抜したブロックの全てを布製のコ字状の枠体中に２段に積んで封入し、コ字状の枠体の底面を補強布で連結し、中央に形成される空間に上記乳幼児用敷マットを長手方向に２つ折にして布製カバーで被覆した座面を嵌設してソファとすることができることを特徴とする乳幼児用寝具。
＜構成２＞
Ｌを単位長さとした場合に、短手方向長さ１Ｌ×長手方向長さ３Ｌ×高さ１．５Ｌの直方体形状のクッション材を布にて被覆したブロック１４個を、布製のロ字状の枠体中に、相対する２つの長辺にブロックの長手方向に夫々４個ずつ連設封入し、また相対する２つの短辺にブロックの長手方向に夫々３個ずつ連設封入し、ロ字状の枠体の底面において相対する２辺どうしを補強布で連結し、中央に形成される空間に幅７Ｌ×奥行１２Ｌの乳幼児用敷マットを嵌設して乳幼児用寝具とし、さらに上記ロ字状の枠体から脱抜した１４個のブロックの全てを、布製のコ字状の枠体中に、相対する２辺にブロックの長手方向に夫々２個ずつ連設し且つ２段積みとして封入し、残る１辺にブロックの長手方向に３個を連接し且つ２段積みとして封入し、コ字状の枠体の底面において３辺を補強布で連結し、中央に形成される空間に幅７Ｌ×奥行１２Ｌの乳幼児用敷マットを長手方向に２つ折にして布製カバーで被覆した座面を嵌設してソファとすることができることを特徴とする構成１に記載の乳幼児用寝具。
＜構成３＞
Ｌを単位長さとした場合に、短手方向長さ１Ｌ×長手方向長さ４.５Ｌ×高さ１．２Ｌの直方体形状のクッション材を布にて被覆した第１ブロック４個と、短手方向長さ１Ｌ×長手方向長さ４Ｌ×高さ１．２Ｌの直方体形状のクッション材を布にて被覆した第２ブロック４個を、布製のロ字状の枠体中に、相対する２つの長辺に第１ブロックを第１ブロックの長手方向に夫々２個ずつ連設封入し、また相対する２つの短辺に第２ブロックを第２ブロックの長手方向に夫々２個ずつ連設封入し、ロ字状の枠体の底面において相対する２辺どうしを補強布で連結し、中央に形成される空間に幅６Ｌ×奥行９Ｌの乳幼児用敷マットを嵌設して乳幼児用寝具とし、さらに上記ロ字状の枠体から脱抜した８個のブロックの全てを、布製のコ字状の枠体中に、相対する２辺に第１ブロックを夫々１個ずつ２段積みとして封入し、残る１辺に第２ブロックを第２ブロックの長手方向に２個を連接し且つ２段積みとして封入し、コ字状の枠体の底面において３辺を補強布で連結し、中央に形成される空間に幅６Ｌ×奥行９Ｌの乳幼児用敷マットを長手方向に２つ折にして布製カバーで被覆した座面を嵌設してソファとすることができることを特徴とする構成１に記載の乳幼児用寝具。
＜構成４＞
単位長さＬを１０ｃｍとしたことを特徴とする構成２あるいは構成３に記載の乳幼児用寝具。
【背景技術】
【０００２】
従来、乳幼児用寝具としては、木柵によるベビーベッドが広く知られているところである。しかしながら、生活空間の狭小化と少子化に伴って、従来の木柵によるベビーベッド以外の乳幼児用寝具が求められる傾向が、最近目立つようになってきた。すなわち、狭い部屋にはベビーベッドといえども邪魔になるケースが多く、また、少子化で子供を一人しか設けない夫婦にとっては、一人の子供のためにわざわざベビーベッドの購入は躊躇されるという気持ちも当然起こってくると考えられる。
【０００３】
また、最近では、フローリングの床材の上に敷物を敷いて、その上で直接座ったり寝ころんだりする生活様式も定着しつつある。このような生活様式の夫婦にとっては、乳幼児が寝ているベッド面まで一定の高さを有しているベビーベッドは、乳幼児の世話のためにいちいち立ち上がらなければならず、不便でわずらわしいので、ベビーベッドはさらに敬遠される傾向がある。
【０００４】
このようなフローリングの床材の上に敷物を敷いて、直接座ったり寝ころんだりする生活様式においては、ベビーベッドを用いず、床の敷物の上に直接乳幼児用寝具の敷布団を敷き、乳幼児を寝かせて掛布団を掛けて世話をするという形態も増えつつある。しかしながら、乳幼児は大人と違って、おとなしく敷布団の上で寝ているわけではなく、少し目を離しているすきに敷布団の上から転がり出して、部屋の中を自在に転動するという心配がある。
【０００５】
部屋には、乳幼児にとっては怪我の原因となるような家具やストーブその他が置いてあり危険であるし、また、乳幼児が布団なしで空気にさらされることとなり、風邪をひいたりする惧れもある。したがって、このような乳幼児の転動は防止しなければならない。そのため、敷布団の回りにクッションを並べたり、あるいは木柵で囲ったりと、さまざまな工夫がなされている。
【０００６】
しかしながら、敷布団の回りにクッションを並べても、固定はされていないので、乳幼児の動きにつれてクッションが跳ね飛ばされて、ガードの役を果たさない場合も多い。また、木柵で囲ったりする場合でも、木柵の固定手段が必要となる。きちんと固定されると、今度は乳幼児が木柵に激しく衝突した場合、危険であるという心配も出てくる。さらに、世話をするためには、一旦床から立ち上がって腰をかがめ、木柵越しに手をさしのべなければならないという煩わしさもある。
【０００７】
下記特許文献１に記載の発明においては、乳幼児が小さいときにはベビーベッドのベッドガード付寝具として、すなわち、乳幼児がベビーベッドの木柵部分と衝突して怪我をしないように木柵部分を覆うベッドガードが付いた乳幼児用敷布団として用い（図２）、乳幼児が少し大きくなるとベッドガードの部分を展開して、床に直接敷く敷布団として用いることができる乳幼児用敷布団を開示している。
【０００８】
なるほど、確かに乳幼児の成長に合わせて敷布団のサイズを変えられるという点では合理的である。しかしながら、乳幼児が小さい時にはベビーベッドを用いることを前提としているので、上記のような床中心のライフスタイルには合わないし、床に敷いた場合にはベッドガードの部分がなくなるので、上述のように乳幼児の転動に伴う危険は回避できない。また、敷布団の部分とベッドガードとして使っていた部分をまとめて一枚の敷布団にするための袋体が、別途必要となる。
【０００９】
また、下記特許文献２においては、ベビーベッドにもなり、フルサイズ（大人用）の敷布団にもなり、さらにソファーにもなる、３つの部分から構成されたマットレスが開示されている。しかしながら、この考案は、単純に１枚のマットレスを３分割できるようにしただけのものであって、ベビーベッドにするためにはベッド用の枠体が別素材として必要になり、ソファにする際にもやはり背もたれ等の別素材が必要となる。さらに、マットレス部分と別素材部分との結合状態に不安定さが残る。
【特許文献１】特許第３６６６４５６号公報
【特許文献２】実用新案登録第３０７７３５９号公報
【考案の開示】
【考案が解決しようとする課題】
【００１０】
上記より、本考案の解決すべき課題を、次のように設定した。
１）床面に直接敷いて用いることのできる乳幼児用寝具であり、乳幼児が大きくなれば、別の形態に組み直して使えるようにする。
２）その際、別素材を用いる割合を減少させ、少なくとも乳幼児用寝具の本体部分はそのまま別の形態に組みなおせるように工夫する。
３）乳幼児用寝具として使用している状態においては、乳幼児に危険を及ぼさずにその転動を防止できる機能を有することとする。
【課題を解決するための手段】
【００１１】
本考案は、上記課題を解決するために、下記の解決手段を提供するものである。
＜解決手段１＞
直方体形状のクッション材を布にて被覆した複数個のブロックを、布製のロ字状の枠体中に、相対する２つの長辺に夫々偶数個封入し、また相対する２つの短辺に夫々１個以上封入し、ロ字状の枠体の底面を補強布で連結し、中央に形成される空間に乳幼児用敷マットを嵌設して乳幼児用寝具とし、さらに上記ロ字状の枠体から脱抜したブロックの全てを布製のコ字状の枠体中に２段に積んで封入し、コ字状の枠体の底面を補強布で連結し、中央に形成される空間に上記乳幼児用敷マットを長手方向に２つ折にして布製カバーで被覆した座面を嵌設してソファとすることができることを特徴とする乳幼児用寝具。
＜解決手段２＞
Ｌを単位長さとした場合に、短手方向長さ１Ｌ×長手方向長さ３Ｌ×高さ１．５Ｌの直方体形状のクッション材を布にて被覆したブロック１４個を、布製のロ字状の枠体中に、相対する２つの長辺にブロックの長手方向に夫々４個ずつ連設封入し、また相対する２つの短辺にブロックの長手方向に夫々３個ずつ連設封入し、ロ字状の枠体の底面において相対する２辺どうしを補強布で連結し、中央に形成される空間に幅７Ｌ×奥行１２Ｌの乳幼児用敷マットを嵌設して乳幼児用寝具とし、さらに上記ロ字状の枠体から脱抜した１４個のブロックの全てを、布製のコ字状の枠体中に、相対する２辺にブロックの長手方向に夫々２個ずつ連設し且つ２段積みとして封入し、残る１辺にブロックの長手方向に３個を連接し且つ２段積みとして封入し、コ字状の枠体の底面において３辺を補強布で連結し、中央に形成される空間に幅７Ｌ×奥行１２Ｌの乳幼児用敷マットを長手方向に２つ折にして布製カバーで被覆した座面を嵌設してソファとすることができることを特徴とする解決手段１に記載の乳幼児用寝具。
＜解決手段３＞
Ｌを単位長さとした場合に、短手方向長さ１Ｌ×長手方向長さ４.５Ｌ×高さ１．２Ｌの直方体形状のクッション材を布にて被覆した第１ブロック４個と、短手方向長さ１Ｌ×長手方向長さ４Ｌ×高さ１．２Ｌの直方体形状のクッション材を布にて被覆した第２ブロック４個を、布製のロ字状の枠体中に、相対する２つの長辺に第１ブロックを第１ブロックの長手方向に夫々２個ずつ連設封入し、また相対する２つの短辺に第２ブロックを第２ブロックの長手方向に夫々２個ずつ連設封入し、ロ字状の枠体の底面において相対する２辺どうしを補強布で連結し、中央に形成される空間に幅６Ｌ×奥行９Ｌの乳幼児用敷マットを嵌設して乳幼児用寝具とし、さらに上記ロ字状の枠体から脱抜した８個のブロックの全てを、布製のコ字状の枠体中に、相対する２辺に第１ブロックを夫々１個ずつ２段積みとして封入し、残る１辺に第２ブロックを第２ブロックの長手方向に２個を連接し且つ２段積みとして封入し、コ字状の枠体の底面において３辺を補強布で連結し、中央に形成される空間に幅６Ｌ×奥行９Ｌの乳幼児用敷マットを長手方向に２つ折にして布製カバーで被覆した座面を嵌設してソファとすることができることを特徴とする解決手段１に記載の乳幼児用寝具。
＜解決手段４＞
単位長さＬを１０ｃｍとしたことを特徴とする解決手段２あるいは解決手段３に記載の乳幼児用寝具。
【考案の効果】
【００１２】
本考案の解決手段１〜解決手段４の考案によれば、乳幼児用寝具及びソファを、略同一の部材を同数用いることにより形成することができる。すなわち、乳幼児用寝具を構成している部材を略そのまま組み替えてソファを構成することが可能となる。さらに詳しく言えば、解決手段２においては本体部分をなすブロック１４個と乳幼児用敷マットを、そのまま乳幼児用寝具にもソファにも形成でき、解決手段３においては本体部分をなすブロック８個と乳幼児用敷マットを、そのまま乳幼児用寝具にもソファにも形成できるので、無駄がなく、極めて合理的である。すなわち、乳幼児が小さいときは床に敷く寝具として用い、成長すれば組み直してソファとして用いることができる。ソファとしては、かなり後まで用いることが可能である。
【００１３】
また、解決手段１〜解決手段４の考案によれば、乳幼児用寝具として形成した場合には、乳幼児用敷マットの周囲がブロックを封入したロ字状の枠体によって囲繞され、しかも、ロ字状の枠体の相対する２辺どうしを補強布で連結し、該枠体の中央に乳幼児用敷マットを嵌設しているので、乳幼児の転動によっても乳幼児用敷マットとロ字状の枠体がずれることがなく、乳幼児は常にロ字状の枠体に囲繞された状態を保持できるので、きわめて安全である。
【００１４】
またさらに、解決手段１〜解決手段４の考案によれば、ロ字状の枠体は布製であり、内部に封入されたブロックもクッション材を布にて被覆したものであるので、ロ字状の枠体全体が柔軟性に富み、乳幼児が衝突しても怪我をする心配がない。
【００１５】
また、解決手段１〜解決手段４の考案によれば、複数個のブロックによってソファを形成した場合には、コ字状の枠体の３辺の底面が補強布によって連結され、該枠体の中央に乳幼児用敷マット２つ折にして布製カバーで被覆した座面を嵌設しているので、乳幼児用敷マットとコ字状の枠体がずれることがない。
【００１６】
本考案の解決手段４の考案によれば、単位長さＬを１０ｃｍとしているので、乳幼児用寝具として形成した場合には、ロ字状の枠体の高さは１５ｃｍあるいは１２ｃｍとなるが、これは、乳幼児が乳幼児用寝具から転動して外部に出ることを防止するには充分な高さであり、かつ、ロ字状の枠体の中央に嵌設される乳幼児用の敷マットのサイズが７０ｃｍ×１２０ｃｍあるいは６０ｃｍ×９０ｃｍとなるが、これは双方ともに通常市販されている規格サイズの乳幼児用の敷マットのサイズに一致するので、通常市販されている規格サイズの乳幼児用の敷マットをそのまま用いることが可能である。
【００１７】
またさらに、本考案の解決手段４の考案によれば、ソファとして形成した場合には、コ字状の枠体の高さが３０ｃｍあるいは２４ｃｍとなるが、これは小児用のソファの枠体としては最適の高さである。また、座面に関しても、７０ｃｍ×１２０ｃｍあるいは６０ｃｍ×９０ｃｍの通常市販されている規格サイズの乳幼児用の敷マットを２つ折にすれば、コ字状の枠体の内部に隙間なく嵌設される。さらに、７０ｃｍ×１２０ｃｍあるいは６０ｃｍ×９０ｃｍの通常市販されている規格サイズの乳幼児用の敷マットは、高さが６ｃｍであるので、２つ折にして１２ｃｍとなり、小児用のソファの座面としては最適の高さである。
【考案を実施するための最良の形態】
【００１８】
本考案を実施するための最良の形態を、以下に、図面を参照しながら詳細に説明する。
【実施例１】
【００１９】
＜実施例１の構成＞
図１ａは、本発明の実施例１の乳幼児用寝具Ｂ１の平面図、図１ｂは正面図である。また、図４に底面図を、図５に一部を切欠した外観斜視図を示す。
【００２０】
本発明の実施例１の乳幼児用寝具Ｂ１は、図１ａに見るように、ロ字状の枠体２と枠体２の中央に形成される平面視が長方形状の空間Ｃ１に嵌設された乳幼児用敷マット３から構成されている。そして、枠体２には、合計１４個のブロック１が封入されている。
【００２１】
ブロック１は、図１２、図１３に見るように、直方体状のブロックで、幅（短手方向の長さ）Ｗ１、奥行（長手方向の長さ）Ｄ１、高さＨ１の間には次式の関係が成立している。
Ｄ１＝３×Ｗ１          （１）
Ｈ１＝１．５×Ｗ１      （２）
したがって、Ｗ１を単位長さＬとするならば、
Ｗ１＝Ｌ                （３）
Ｄ１＝３Ｌ              （４）
Ｈ１＝１．５Ｌ          （５）
となっている。
今、Ｌを１０ｃｍとすれば、
Ｗ１＝１０ｃｍ          （６）
Ｄ１＝３０ｃｍ          （７）
Ｈ１＝１５ｃｍ          （８）
である。
【００２２】
ブロック１は、図１３に見るように、ウレタンフォームからなる直方体状のクッション材である本体１ａの全体を、薄い布製のカバー１ｂで被覆したものであり、図１〜図９及び図１２にてはカバー１ｂの厚さを誇張して表しているが、カバー１ｂの厚さは、単位長さＬと比較すれば無視できる程度である。なお、クッション材の素材として用いたウレタンフォームは、柔軟性を有しながらも型崩れを起こすことがなく、保温性に優れ、さらに抗カビ性や抗薬品性にも優れ、かつ有害物質を放散するような心配も皆無なので、乳幼児用として、安心して用いることができる素材である。
【００２３】
図１ａにて明らかなように、ロ字状の枠体２は布２０から形成され、相対する長辺２１、２２、及び相対する短辺２３、２４を有し、長辺２１、２２、短辺２３、２４はいずれも内部が中空に構成されており、長辺２１、２２には内部にブロック１が夫々４個ずつブロックの長手方向に連設封入され、短辺２３、２４には内部にブロック１が夫々３個ずつブロックの長手方向に連設封入されている。したがって、ロ字状の枠体２の内部に封入されているブロック１は、合計１４個となる。そして、１４個のブロック１が全て封入されるとロ字状の枠体２の形状は図１ａのように確定し、内部に平面視が長方形状の空間Ｃ１が生じる。３は、この空間Ｃ１に嵌入された乳幼児用敷マットである。なお、図１４ａに、１４個のブロック１が枠体２中に封入されている状態を、枠体２を取り除いた状態にて表示する。
【００２４】
図４の底面図に明らかなように、ロ字状の枠体２の底面には、長辺２１、２２を連結する補強布２ａ、２ｂが縫着され、短編２３、２４を連結する補強布２ｃが縫着されている。また、補強布２ａ、２ｃがクロスする部分にては補強布２ａ、２ｃが相互に縫着され、補強布２ｂ、２ｃがクロスする部分にては補強布２ｂ、２ｃが相互に縫着されている。これにより、枠体２はその形状を安定的に保持できるように構成されている。
【００２５】
２ｄ、２ｅは、枠体２に設けられたファスナー付の開口部である。開口部２ｄは、枠体２の正面下端部から左右両側面の下端部前部にかけて設けられ、開口部２ｅは、枠体２の背面下端部から左右両側面の下端部後部にかけて設けられている。図４は、開口部２ｄ、２ｅが両方ともファスナーＦ１、Ｆ２によって閉鎖されている状態を示す。開口部２ｄ、２ｅは、夫々が左右両側面の一部まで開口できるようになっているので、枠体２内にブロック１を収納する際にも、円滑に作業が進められる。
【００２６】
内部に封入された１４個のブロック１によって、枠体２はロ字状の形状を保持する。まず、枠体２の外法寸法について説明する（図１ａ参照）。平面視にて、その幅Ｗ２ａはブロック１の奥行Ｄ１が３個分なので、
Ｗ２ａ＝３×Ｄ１          （９）
しかるに、上記（４）式により
Ｗ２ａ＝９×Ｌ            （１０）
したがって、Ｌ＝１０ｃｍとした場合には、
Ｗ２ａ＝９０ｃｍ          （１１）
となる。
【００２７】
次に、枠体２の奥行Ｄ２ａは、ブロック１の奥行Ｄ１が４個分と幅Ｗ１が２個分なので、
Ｄ２ａ＝（４×Ｄ１）＋（２×Ｗ１）  （１２）
しかるに、上記（３）式と（４）式により
Ｄ２ａ＝１４×Ｌ                    （１３）
したがって、Ｌ＝１０ｃｍとした場合には、
Ｄ２ａ＝１４０ｃｍ                  （１４）
となる。
【００２８】
次に、枠体２の内法寸法について説明する。
枠体２の内法寸法のうち、幅Ｗ２ｂは、図１ａから明らかなように、
Ｗ２ｂ＝（３×Ｄ１）−（２×Ｗ１）  （１５）
しかるに、上記（３）式と（４）式により、
Ｗ２ｂ＝７×Ｌ                      （１６）
したがって、Ｌ＝１０ｃｍとした場合には、
Ｗ２ｂ＝７０ｃｍ
となる。                              （１７）
【００２９】
また、枠体２の内法寸法のうち、奥行Ｄ２ｂは、図１ａから明らかなように、
Ｄ２ｂ＝４×Ｄ１                    （１８）
しかるに、上記（４）式により、
Ｄ２ｂ＝１２×Ｌ                    （１９）
したがって、Ｌ＝１０ｃｍとした場合には、
Ｄ２ｂ＝１２０ｃｍ
となる。                              （２０）
【００３０】
次に、枠体２の高さＨ２は、図１ｂから明らかなように、
Ｈ２＝Ｈ１                          （２１）
しかるに、上記（５）式より、
Ｈ２＝１．５Ｌ                      （２２）
したがって、Ｌ＝１０ｃｍとした場合には、
Ｈ２＝１５ｃｍ                      （２３）
となる。                            
なお、本来は、布２０の厚さ、及び補強布２ａ、２ｂ、２ｃの厚さを考慮すれば、当然、Ｈ２＞Ｈ１となるところであるが、布２０の厚さ、及び補強布２ａ、２ｂ、２ｃの厚さは、Ｈ２、Ｈ１に比較すると無視できる程度であるので、ここでは、Ｈ２＝Ｈ１としている。
【００３１】
乳幼児用敷マット３は、ウレタンフォームからなる平面視が長方形状の板状のクッション材で、同一のサイズの本体３ａ、３ｂからなり（図２ｂ参照）、本体３ａの全体が薄い布製のカバー３ｃによって被覆され、本体３ｂの全体が薄い布製のカバー３ｄによって被覆され、カバー３ｃとカバー３ｄの隣接部分の一部が縫着されていることにより、図７に見るように２つ折が可能に構成されている。そしてさらに、２つ折しない状態では、図２ｂに見るように全体が、薄い布製のカバー３ｅによって被覆されている。カバー３ｅは、下面においては周辺部を被覆するのみである。図２、図３、図５、図７、図８にてはカバー３ｃ、３ｄ、３ｅの厚さを誇張して表しているが、カバー３ｃ、３ｄ、３ｅの厚さは本来は無視できる程度である。
【００３２】
乳幼児用敷マット３は、枠体２の中央に形成される空間Ｃ１に嵌入されるので、その幅Ｗ３ａ（図１参照）は枠体２の内法寸法の幅Ｗ２ｂに等しい。すなわち、
Ｗ３ａ＝Ｗ２ｂ
＝（３×Ｄ１）−（２×Ｗ１）
＝７Ｌ                                （２４）
ここで、Ｌ＝１０ｃｍとした場合には、
Ｗ３ａ＝７０ｃｍ                      （２５）
となる。                              
【００３３】
また、乳幼児用敷マット３の奥行きＤ３ａは枠体２の内法寸法の奥行Ｄ２ｂに等しい。すなわち、
Ｄ３ａ＝Ｄ２ｂ＝４Ｄ１＝１２Ｌ        （２６）
ここで、Ｌ＝１０ｃｍとした場合には、
Ｄ３ａ＝１２０ｃｍ                    （２７）
となる。
【００３４】
したがって、Ｌ＝１０ｃｍとした場合には、乳幼児用敷マット３の寸法は、幅Ｗ３ａが７０ｃｍ、奥行Ｄ３ａが１２０ｃｍとなるが、乳幼児用敷マットの市販品の規格の一つがちょうどこの寸法なので、乳幼児用敷マット３には市販品を用いることもできる。なお、市販品の乳幼児用敷マットにおいては、高さＨ３（図１ｂ参照）は６ｃｍである。
【００３５】
以上にて、本考案の実施例１の乳幼児用寝具Ｂ１について述べたので、次に、乳幼児用寝具Ｂ１を組み替えて、ソファＳ１を形成する場合について、詳細に説明する。ソファＳ１の形成にあたっては、１４個のブロック１はそのまま転用可能であるが、ロ字状の枠体２は使用せず、代わりにコ字状の枠体４を用いる。また、乳幼児用敷マット３は２つ折にして、カバー３ｆにて被覆して用いる（図７参照）。
【００３６】
図６ａにて明らかなように、コ字状の枠体４は布４０から成り、両側面の相対する２辺４１、４２、及び背面側の１辺４３から構成され、辺４１、４２、４３はいずれも内部が中空に構成されており、辺４１、４２には内部にブロック１が夫々２個ずつブロックの長手方向に連設され２段に積まれ合計夫々４個が配設封入され、辺４３には内部にブロック１が３個、ブロックの長手方向に連設され２段に積まれ合計６個配設封入されている。したがって、コ字状の枠体４の内部に封入されているブロック１は、乳幼児用寝具Ｂ１の場合と同様、合計１４個となる。
【００３７】
そして、１４個のブロック１が全て封入されるとコ字状の枠体２の形状は図６ａのように確定し、内部に平面視が長方形状の空間Ｃ２が生じる。この空間Ｃ２に、乳幼児用敷マット３を２つ折にして嵌入する。乳幼児用敷マット３は、底面の一部を除く略全体がカバー３ｆにて被覆されている。なお、図１４ｂに、１４個のブロック１が枠体４中に封入されている状態を、枠体４を取り除いて表示する。
【００３８】
図９の底面図に明らかなように、コ字状の枠体４の底面全体には、辺４１、４２、４３を連結する補強布４ａが縫着されている。これにより、枠体４はその形状を安定的に保持できるように構成されている。
【００３９】
４ｂは、枠体４に設けられたファスナー付の開口部である。開口部４ｂは、枠体４の背面下端部から左右両側面の下端部後部にかけて設けられている。図９には、開口部４ｂがファスナーＦ３によって閉鎖されている状態を示す。開口部４ｂは、左右両側面の一部まで開口できるようになっているので、枠体４内にブロック１を収納する際にも、円滑に作業が進められる。
【００４０】
内部に封入された１４個のブロック１によって、枠体４はコ字状の形状を保持する。まず、枠体４の外法寸法について説明する。図６ａに示すように、平面視にて、その幅Ｗ４ａはブロック１の奥行Ｄ１が３個分なので、
Ｗ４ａ＝３×Ｄ１          （２８）
しかるに、上記（４）式により
Ｗ４ａ＝９×Ｌ            （２９）
したがって、Ｌ＝１０ｃｍとした場合には、
Ｗ４ａ＝９０ｃｍ          （３０）
となる。
【００４１】
次に、枠体４の奥行Ｄ４ａは、ブロック１の奥行きＤ１が２個分と幅Ｗ１が１個分なので、
Ｄ４ａ＝（２×Ｄ１）＋Ｗ１          （３１）
しかるに、上記（３）式と（４）式により
Ｄ４ａ＝７×Ｌ                      （３２）
したがって、Ｌ＝１０ｃｍとした場合には、
Ｄ４ａ＝７０ｃｍ                    （３３）
となる。
【００４２】
次に、枠体４の内法寸法について説明する。
枠体４の内法寸法のうち、幅Ｗ４ｂは、図６ａから明らかなように、
Ｗ４ｂ＝（３×Ｄ１）−（２×Ｗ１）  （３４）
しかるに、上記（３）式と（４）式により、
Ｗ４ｂ＝７×Ｌ                      （３５）
したがって、Ｌ＝１０ｃｍとした場合には、
Ｗ４ｂ＝７０ｃｍ                    （３６）
となる。                              
【００４３】
また、枠体２の内法寸法のうち、奥行Ｄ４ｂは、図６ａから明らかなように、
Ｄ４ｂ＝２×Ｄ１                    （３７）
しかるに、上記（３）式により、
Ｄ４ｂ＝６×Ｌ                      （３８）
したがって、Ｌ＝１０ｃｍとした場合には、
Ｄ４ｂ＝６０ｃｍ                    （３９）
となる。                              
【００４４】
次に、枠体４の高さＨ４は、図６ｂから明らかなように、
Ｈ４＝２×Ｈ１                      （４０）
しかるに、上記（５）式より、
Ｈ４＝２×１．５Ｌ                  （４１）
したがって、Ｌ＝１０ｃｍとした場合には、
Ｈ４＝３０ｃｍ                      （４２）
となる。                              
なお本来は、布４０の厚さ、及び補強布４ｂの厚さを考慮すれば、当然、Ｈ４＞２×Ｈ１となるところであるが、布４０の厚さ、及び補強布４ｂの厚さは、Ｈ４、Ｈ１に比較すると無視できる程度であるので、ここでは、Ｈ４＝２×Ｈ１としている。
【００４５】
乳幼児用敷マット３は、枠体２の中央に形成される空間Ｃ２に、２つ折にして嵌入されるので、その幅Ｗ３ｂは枠体４の内法寸法の幅Ｗ４ｂに等しい。すなわち、
Ｗ３ｂ＝Ｗ４ｂ
＝（３×Ｄ１）−（２×Ｗ１）
＝７Ｌ                              （４３）
ここで、Ｌ＝１０ｃｍとした場合には、
Ｗ３ｂ＝７０ｃｍ                    （４４）
となる。                              
【００４６】
また、乳幼児用敷マット３の奥行きＤ３ｂは枠体４の内法寸法の奥行Ｄ４ｂに等しい。すなわち、
Ｄ３ｂ＝Ｄ４ｂ＝２Ｄ１＝６Ｌ          （４５）
ここで、Ｌ＝１０ｃｍとした場合には、
Ｄ３ｂ＝６０ｃｍ                      （４６）
となる。
【００４７】
したがって、Ｌ＝１０ｃｍとした場合には、乳幼児用敷マット３の２つ折にした寸法は、幅Ｗ３ｂが７０ｃｍ、奥行Ｄ３ｂが６０ｃｍとなるが、乳幼児用敷マットの市販品の一種の規格が、２つ折にするとちょうどこの寸法となるので、乳幼児用敷マット３には２つ折可能な市販品の一種を用いることもできる。なお、該市販品の乳幼児用敷マットにおいては、高さＨ３ｂ（図６ｂ参照）は１２ｃｍとなる。
【００４８】
＜実施例１の作用＞
実施例１の乳幼児用寝具Ｂ１を形成するためには、まずロ字状の枠体２の開口部２ｄのファスナーＦ１、開口部２ｅのファスナーＦ２を開いて開口部２ｄ、２ｅを全開とする。しかるのちに開口部２ｄ、２ｅから１４個のブロック１を順次枠体２内部に封入する。封入が完了すれば、枠体２は図１ａに見るような形状となり、内部に平面視が長方形状の空間Ｃ１が生じるので、この空間に、あらかじめカバー３ｅで被覆した状態の乳幼児用敷マット３を嵌入させる。枠体２の内法寸法と乳幼児用敷マット３の外形寸法は同一なので、乳幼児用敷マット３は空間Ｃ１に隙間なく嵌入される。これにて乳幼児用寝具Ｂ１が完成されるので、乳幼児（図示せず）を乳幼児用敷マット３上に寝かせ、乳幼児用掛布団５（図１参照）を掛けて使用する。
【００４９】
次に、乳幼児用寝具Ｂ１をソファＳ１に組み直す場合の手順を説明する。まず、ロ字状の枠体２の開口部２ｄのファスナーＦ１、開口部２ｅのファスナーＦ２を開いて開口部２ｄ、２ｅを全開とする。しかるのちに開口部２ｄ、２ｅから１４個のブロック１を順次枠体２外部に脱抜する。次に、コ字状の枠体４の開口部４ｂのファスナーＦ３を開いて開口部４ｂを全開とし、開口部４ｂから１４個のブロック１を順次枠体４内部に封入する。封入が完了すれば、枠体４は図６ａに見るような形状となり、平面視が長方形状の空間Ｃ２が生じるので、この空間に、乳幼児用敷マット３を２つ折にしてカバー３ｆで被覆して嵌入させる。枠体４の内法寸法と２つ折にした乳幼児用敷マット３の外形寸法は同一なので、２つ折にした乳幼児用敷マット３は空間Ｃ２に隙間なく嵌入される。これにてソファＳ１が完成される。
【００５０】
図１１には、乳幼児用掛布団５（図１ａ参照）を折畳み、円筒形状の袋体５Ａの内部に封入したクッション５ＢをソファＳ１に付属させた状態を示す。なお、１４個のブロック１をすべて脱抜させた後のロ字状の枠体２は、折畳んで保存しておけば、次子が誕生した場合等に再利用が可能である。
【実施例２】
【００５１】
＜実施例２の構成＞
図１５ａは、本発明の実施例２の乳幼児用寝具Ｂ２の平面図、図１５ｂは正面図である。また、図１９ａに一部を切欠した外観斜視図を示す。
【００５２】
本発明の実施例２の乳幼児用寝具Ｂ２は、図１５ａに見るように、ロ字状の枠体６と枠体６の中央に形成される平面視が長方形状の空間Ｃ３に嵌設された乳幼児用敷マット７から構成されている。そして、枠体６には、４個の第１ブロック１１と４個の第２ブロック１２が封入されている。
【００５３】
第１ブロック１１は、図２１に見るように、直方体状のブロックで、幅（短手方向の長さ）Ｗ１１、奥行（長手方向の長さ）Ｄ１１、高さＨ１１の間には次式の関係が成立している。
Ｄ１１＝４．５×Ｗ１１          （４７）
Ｈ１１＝１．２×Ｗ１１          （４８）
したがって、Ｗ１１を単位長さＬとするならば、
Ｗ１１＝Ｌ                    （４９）
Ｄ１１＝４．５Ｌ              （５０）
Ｈ１１＝１．２Ｌ              （５１）
となっている。
今、Ｌを１０ｃｍとすれば、
Ｗ１１＝１０ｃｍ          （５２）
Ｄ１１＝４５ｃｍ          （５３）
Ｈ１１＝１２ｃｍ          （５４）
である。
【００５４】
第１ブロック１１は、図２１に見るように、ウレタンフォームからなる直方体状のクッション材である本体１１ａの全体を、薄い布製のカバー１１ｂで被覆したものであり、図１５〜図１８及び図２１にてはカバー１１ｂの厚さを誇張して表しているが、カバー１１ｂの厚さは、単位長さＬと比較すれば無視できる程度である。なお、クッション材の素材として用いたウレタンフォームについては、実施例１のところで述べたとおりである。
【００５５】
第２ブロック１２は、図２２に見るように、直方体状のブロックで、幅（短手方向の長さ）Ｗ１２、奥行（長手方向の長さ）Ｄ１２、高さＨ１２の間には次式の関係が成立している。
Ｄ１２＝４×Ｗ１２              （５５）
Ｈ１２＝１．２×Ｗ１２          （５６）
したがって、Ｗ１１を単位長さＬとするならば、
Ｗ１２＝Ｌ                    （５７）
Ｄ１２＝４Ｌ                  （５８）
Ｈ１２＝１．２Ｌ              （５９）
となっている。
今、Ｌを１０ｃｍとすれば、
Ｗ１２＝１０ｃｍ          （６０）
Ｄ１２＝４０ｃｍ          （６１）
Ｈ１２＝１２ｃｍ          （６２）
である。
【００５６】
第２ブロック１２は、図２２に見るように、ウレタンフォームからなる直方体状のクッション材である本体１２ａの全体を、薄い布製のカバー１２ｂで被覆したものであり、図１５〜図１８及び図２２にてはカバー１２ｂの厚さを誇張して表しているが、カバー１２ｂの厚さは、単位長さＬと比較すれば無視できる程度である。
【００５７】
図１５ａにて明らかなように、ロ字状の枠体６は布６０から形成され、相対する長辺６１、６２、及び相対する短辺６３、６４を有し、長辺６１、６２、短辺６３、６４はいずれも内部が中空に構成されており、長辺６１、６２には内部に第１ブロック１１が夫々２個ずつブロックの長手方向に連設封入され、短辺６３、６４には内部に第２ブロック１２が夫々２個ずつブロックの長手方向に連設封入されている。したがって、ロ字状の枠体６の内部に封入されている第１ブロック１１は、合計４個、第２ブロック１２も、合計４個となる。そして、４個の第１ブロック１１及び４個の第２ブロック１２が全て封入されるとロ字状の枠体６の形状は図１５ａのように確定し、内部に平面視が長方形状の空間Ｃ３が生じる。７は、この空間Ｃ３に嵌入された乳幼児用敷マットである。なお、図２０ａに、４個の第１ブロック１１及び４個の第２ブロック１２が枠体６中に封入されている状態を、枠体６２を取り除いた状態にて表示する。
【００５８】
図１５ａに明らかなように、ロ字状の枠体６の底面には、長辺６１、６２を連結する補強布６ａ、６ｂが縫着され、短編６３、６４を連結する補強布６ｃが縫着されている。また、補強布６ａ、６ｃがクロスする部分にては補強布６ａ６ｃが相互に縫着され、補強布６ｂ、６ｃがクロスする部分にては補強布６ｂ、６ｃが相互に縫着されている。これにより、枠体６はその形状を安定的に保持できるように構成されている。
【００５９】
６ｄ、６ｅ（図１９ａ参照）は、枠体６に設けられたファスナー付の開口部である。開口部６ｄは、枠体６の正面下端部から左右両側面の下端部前部にかけて設けられ、開口部６ｅは、枠体６の背面下端部から左右両側面の下端部後部にかけて設けられている。図１９ａは、開口部６ｄ、６ｅが両方ともファスナーＦ４、Ｆ５によって閉鎖されている状態を示す。開口部６ｄ、６ｅは、夫々が左右両側面の一部まで開口できるようになっているので、枠体６内に第１ブロック１１、第２ブロック１２を収納する際にも、円滑に作業が進められる。
【００６０】
内部に封入された４個の第１ブロック１１及び４個の第２ブロック１２によって、枠体６はロ字状の形状を保持する。まず、枠体６の外法寸法について説明する（図１５ａ参照）。平面視にて、その幅Ｗ６ａは第２ブロック１２の奥行Ｄ１２が２個分なので、
Ｗ６ａ＝２×Ｄ１２          （６３）
しかるに、上記（５８）式により
Ｗ６ａ＝８×Ｌ              （６４）
したがって、Ｌ＝１０ｃｍとした場合には、
Ｗ６ａ＝８０ｃｍ            （６５）
となる。
【００６１】
次に、枠体６の奥行Ｄ６ａは、第１ブロック１１の奥行Ｄ１１が２個分と第２ブロック１２の幅Ｗ１２が２個分なので、
Ｄ６ａ＝（２×Ｄ１１）＋（２×Ｗ１２）  （６６）
しかるに、上記（５０）式と（５７）式により
Ｄ６ａ＝１１×Ｌ                        （６７）
したがって、Ｌ＝１０ｃｍとした場合には、
Ｄ６ａ＝１１０ｃｍ                      （６８）
となる。
【００６２】
次に、枠体６の内法寸法について説明する。
枠体６の内法寸法のうち、幅Ｗ６ｂは、図１５ａから明らかなように、
Ｗ６ｂ＝（２×Ｄ１２）−（２×Ｗ１１）  （６９）
しかるに、上記（５５）式と（５２）式により、
Ｗ６ｂ＝６×Ｌ                          （７０）
したがって、Ｌ＝１０ｃｍとした場合には、
Ｗ６ｂ＝６０ｃｍ                        （７１）
となる。                                  
【００６３】
また、枠体６の内法寸法のうち、奥行Ｄ６ｂは、図１５ａから明らかなように、
Ｄ６ｂ＝２×Ｄ１１                    （７２）
しかるに、上記（５０）式により、
Ｄ６ｂ＝９×Ｌ                        （７３）
したがって、Ｌ＝１０ｃｍとした場合には、
Ｄ６ｂ＝９０ｃｍ                      （７４）
となる。  
【００６４】
次に、枠体６の高さＨ６は、図１５ｂから明らかなように、
Ｈ６＝Ｈ１１＝Ｈ１２                    （７５）
しかるに、上記（５４）、（５９）式より、
Ｈ６＝１．２Ｌ                            （７６）
したがって、Ｌ＝１０ｃｍとした場合には、
Ｈ６＝１２ｃｍ                          （７７）
となる。                            
なお、本来は、布６０の厚さ、及び補強布６ａ、６ｂ、６ｃの厚さを考慮すれば、当然、Ｈ６＞Ｈ１１あるいはＨ６＞Ｈ１２となるところであるが、布６０の厚さ、及び補強布６ａ、６ｂ、６ｃの厚さは、Ｈ６、Ｈ１１、Ｈ１２に比較すると無視できる程度であるので、ここでは、Ｈ６＝Ｈ１１＝Ｈ１２としている。
【００６５】
乳幼児用敷マット７は、ウレタンフォームからなる平面視が長方形状の板状のクッション材で、同一のサイズの本体７ａ、７ｂからなり、本体７ａの全体が薄い布製のカバー７ｃによって被覆され、本体７ｂの全体が薄い布製のカバー７ｄによって被覆され、カバー７ｃとカバー７ｄの隣接部分の一部が縫着されていることにより、図１７ｂに見るように２つ折が可能に構成されている。そしてさらに、２つ折しない状態では、全体が、薄い布製のカバー７ｅによって被覆されている。カバー７ｅは、下面においては周辺部を被覆するのみである。図１５、図１６、図１７、図１８にてはカバー７ｃ、７ｄ、７ｅの厚さを誇張して表しているが、カバー７ｃ、７ｄ、７ｅの厚さは本来は無視できる程度である。
【００６６】
乳幼児用敷マット７は、枠体６の中央に形成される空間Ｃ３に嵌入されるので、その幅Ｗ７ａは枠体６の内法寸法の幅Ｗ６ｂに等しい。すなわち、
Ｗ７ａ＝Ｗ６ｂ
＝（２×Ｄ１２）−（２×Ｗ１１）
＝６Ｌ                                （７８）
ここで、Ｌ＝１０ｃｍとした場合には、
Ｗ７ａ＝６０ｃｍ                      （７９）
となる。                              
【００６７】
また、乳幼児用敷マット７の奥行きＤ７ａは枠体６の内法寸法の奥行Ｄ６ｂに等しい。すなわち、
Ｄ７ａ＝Ｄ６ｂ＝２Ｄ１１＝９Ｌ        （８０）
ここで、Ｌ＝１０ｃｍとした場合には、
Ｄ７ａ＝９０ｃｍ                      （８１）
となる。
【００６８】
したがって、Ｌ＝１０ｃｍとした場合には、乳幼児用敷マット７の寸法は、幅Ｗ７ａが６０ｃｍ、奥行Ｄ７ａが９０ｃｍとなるが、乳幼児用敷マットの市販品の規格の一つがちょうどこの寸法なので、乳幼児用敷マット７には市販品を用いることもできる。なお、市販品の乳幼児用敷マットにおいては、高さＨ７（図１５ｂ参照）は６ｃｍである。
【００６９】
以上にて、本考案の実施例２の乳幼児用寝具Ｂ２について述べたので、次に、乳幼児用寝具Ｂ２を組み替えて、ソファＳ２を形成する場合について、詳細に説明する。ソファＳ２の形成にあたっては、４個の第１ブロック１１及び４個の第２ブロック１２はそのまま転用可能であるが、ロ字状の枠体６は使用せず、代わりにコ字状の枠体８を用いる。また、乳幼児用敷マット７は２つ折にして、カバー７ｆにて被覆して用いる。
【００７０】
図１７ａにて明らかなように、コ字状の枠体８は布８０から成り、両側面の相対する２辺８１、８２、及び背面側の１辺８３から構成され、辺８１、８２、８３はいずれも内部が中空に構成されており、辺８１、８２には内部に第１ブロック１１が２段に積まれ合計夫々２個が配設封入され、辺８３には内部に第２ブロック１２が２個、ブロックの長手方向に連設され２段に積まれ合計４個配設封入されている。したがって、コ字状の枠体８の内部に封入されている第１ブロック１１、第２ブロック１２の数は、乳幼児用寝具Ｂ２の場合と同様、夫々４個ずつとなる。
【００７１】
そして、４個の第１ブロック１１と４個の第２ブロック１２が全て封入されるとコ字状の枠体８の形状は図１７ａのように確定し、内部に平面視が長方形状の空間Ｃ４が生じる。この空間Ｃ４に、乳幼児用敷マット７を２つ折にして嵌入する。乳幼児用敷マット７は、底面の一部を除く略全体がカバー７ｆにて被覆されている。なお、図２０ｂに、４個の第１ブロック１１及び４個の第２ブロック１２が枠体８中に封入されている状態を、枠体８を取り除いた状態にて表示する。
【００７２】
図１７ａ明らかなように、コ字状の枠体８の底面全体には、辺８１、８２、８３を連結する補強布８ａが縫着されている。これにより、枠体８はその形状を安定的に保持できるように構成されている。
【００７３】
８ｂは、枠体４に設けられたファスナー付の開口部である。開口部８ｂは、枠体８の背面下端部から左右両側面の下端部後部にかけて設けられている。図１９ｂには、開口部８ｂがファスナーＦ６によって閉鎖されている状態を示す。開口部８ｂは、左右両側面の一部まで開口できるようになっているので、枠体８内に第１ブロック１１、第２ブロック１２を収納する際にも、円滑に作業が進められる。
【００７４】
内部に封入された４個の第１ブロック１１及び４個の第２ブロック１２によって、枠体８はコ字状の形状を保持する。まず、枠体８の外法寸法について説明する。図１７ａに示すように、平面視にて、その幅Ｗ８ａはブロック１２の奥行Ｄ１２が２個分なので、
Ｗ８ａ＝２×Ｄ１２          （８２）
しかるに、上記（５５）、（５８）式により
Ｗ８ａ＝８×Ｌ              （８３）
したがって、Ｌ＝１０ｃｍとした場合には、
Ｗ８ａ＝８０ｃｍ            （８４）
となる。
【００７５】
次に、枠体８の奥行Ｄ８ａは、第１ブロック１１の奥行きＤ１１が１個分と第２ブロック１２の幅Ｗ１２が１個分なので、
Ｄ８ａ＝Ｄ１１＋Ｗ１２              （８５）
しかるに、上記（５０）式と（５７）式により
Ｄ８ａ＝５．５×Ｌ                  （８６）
したがって、Ｌ＝１０ｃｍとした場合には、
Ｄ８ａ＝５５ｃｍ                    （８７）
となる。
【００７６】
次に、枠体８の内法寸法について説明する。
枠体８の内法寸法のうち、幅Ｗ８ｂは、図１７ａから明らかなように、
Ｗ８ｂ＝（２×Ｄ１２）−（２×Ｗ１１）  （８８）
しかるに、上記（５８）式と（４９）式により、
Ｗ８ｂ＝６×Ｌ                      （８９）
したがって、Ｌ＝１０ｃｍとした場合には、
Ｗ８ｂ＝６０ｃｍ                    （９０）
となる。                              
【００７７】
また、枠体２の内法寸法のうち、奥行Ｄ８ｂは、図１７ａから明らかなように、
Ｄ８ｂ＝Ｄ１１                      （９１）
しかるに、上記（５０）式により、
Ｄ８ｂ＝４．５×Ｌ                  （９２）
したがって、Ｌ＝１０ｃｍとした場合には、
Ｄ８ｂ＝４５ｃｍ                    （９３）
となる。                              
【００７８】
次に、枠体８の高さＨ８は、図１７ｂから明らかなように、
Ｈ８＝２×Ｈ１１                    （９４）
あるいは、
Ｈ８＝２×Ｈ１２                    （９５）
しかるに、上記（５１）、（５９）式より、
Ｈ８＝２×１．２Ｌ                  （９６）
したがって、Ｌ＝１０ｃｍとした場合には、
Ｈ８＝２４ｃｍ                      （９７）
となる。                              
なお本来は、布８０の厚さ、及び補強布８ｂの厚さを考慮すれば、当然、Ｈ８＞２×Ｈ１１あるいはＨ８＞２×Ｈ１２となるところであるが、布８０の厚さ、及び補強布８ｂの厚さは、Ｈ８、Ｈ１１、Ｈ１２に比較すると無視できる程度であるので、ここでは、Ｈ８＝２×Ｈ１１あるいはＨ８＝２×Ｈ１２としている。
【００７９】
乳幼児用敷マット７は、枠体８の中央に形成される空間Ｃ４に、２つ折にして嵌入されるので、その幅Ｗ７ｂは枠体８の内法寸法の幅Ｗ８ｂに等しい。すなわち、
Ｗ７ｂ＝Ｗ８ｂ
＝（２×Ｄ１２）−（２×Ｗ１１）
＝６Ｌ                              （９８）
ここで、Ｌ＝１０ｃｍとした場合には、
Ｗ７ｂ＝６０ｃｍ                    （９９）
となる。                              
【００８０】
また、乳幼児用敷マット７の奥行きＤ７ｂは枠体８の内法寸法の奥行Ｄ８ｂに等しい。すなわち、
Ｄ７ｂ＝Ｄ８ｂ＝２Ｄ１１＝４．５Ｌ          （１００）
ここで、Ｌ＝１０ｃｍとした場合には、
Ｄ７ｂ＝４５ｃｍ                            （１０１）
となる。
【００８１】
したがって、Ｌ＝１０ｃｍとした場合には、乳幼児用敷マット７の２つ折にした寸法は、幅Ｗ７ｂが６０ｃｍ、奥行Ｄ７ｂが４５ｃｍとなるが、乳幼児用敷マットの市販品の規格の一つが、２つ折にするとちょうどこの寸法となるので、乳幼児用敷マット７には２つ折可能な市販品を用いることもできる。なお、該市販品の乳幼児用敷マットにおいては、高さＨ７ｂ（図１７ｂ参照）は１２ｃｍとなる。
【００８２】
＜実施例２の作用＞
実施例２の乳幼児用寝具Ｂ２を形成するためには、まずロ字状の枠体６の開口部６ｄのファスナーＦ４、開口部６ｅのファスナーＦ５を開いて開口部６ｄ、６ｅを全開とする。しかるのちに開口部６ｄ、６ｅから４個の第１ブロック１１及び４個の第２ブロック１２を順次枠体６内部に封入する。封入が完了すれば、枠体６は図１５ａに見るような形状となり、内部に平面視が長方形状の空間Ｃ３が生じるので、この空間に、あらかじめカバー７ｅで被覆した状態の乳幼児用敷マット７を嵌入させる。枠体６の内法寸法と乳幼児用敷マット７の外形寸法は同一なので、乳幼児用敷マット７は空間Ｃ３に隙間なく嵌入される。これにて乳幼児用寝具Ｂ２が完成されるので、乳幼児（図示せず）を乳幼児用敷マット７上に寝かせ、乳幼児用掛布団９を掛けて使用する。
【００８３】
次に、乳幼児用寝具Ｂ２をソファＳ２に組み直す場合の手順を説明する。まず、ロ字状の枠体６の開口部６ｄのファスナーＦ４、開口部６ｅのファスナーＦ５を開いて開口部６ｄ、６ｅを全開とする。しかるのちに開口部６ｄ、６ｅから４個の第１ブロック１１及び４個の第２ブロック１２を順次枠体６外部に脱抜する。次に、コ字状の枠体８の開口部８ｂのファスナーＦ６を開いて開口部８ｂを全開とし、開口部８ｂから４個の第１ブロック１１及び４個の第２ブロック１２を順次枠体８内部に封入する。封入が完了すれば、枠体８は図１７ａに見るような形状となり、平面視が長方形状の空間Ｃ４が生じるので、この空間に、乳幼児用敷マット７を２つ折にしてカバー７ｆで被覆して嵌入させる。枠体８の内法寸法と２つ折にした乳幼児用敷マット７の外形寸法は同一なので、２つ折にした乳幼児用敷マット７は空間Ｃ４に隙間なく嵌入される。これにてソファＳ２が完成される。
【００８４】
図１９ｂには、乳幼児用掛布団９（図１５ａ参照）を折畳み、円筒形状の袋体９Ａの内部に封入したクッション９ＢをソファＳ２に付属させた状態を示す。なお、４個の第１ブロック１１及び４個の第２ブロック１２をすべて脱抜させた後のロ字状の枠体６は、折畳んで保存しておけば、次子が誕生した場合等に再利用が可能である。
【産業上の利用可能性】
【００８５】
本考案の乳幼児用寝具は、乳幼児が小さいうちは寝具として用い、成長すればソファとして用いることができ、しかも全く同数のブロックをソファ用の枠体に詰め替えるだけでソファが形成できるので、一旦購入した乳幼児用寝具を子供がかなり大きくなるまで使い続けることができ、消費者においては経費の節約という点で大きなメリットがある。また、乳幼児用寝具においてもソファにおいても、構成要素の一部として、市販の乳幼児用敷マット及び乳幼児用掛布団を用いることができるので、手持ちの乳幼児用敷マット及び乳幼児用掛布団に組み合わせれば良く、極めて合理的である。
【００８６】
なお、本考案の乳幼児用寝具の実施の形態は、上記の２つの実施例に限定されるものではないのは当然のことである。また、上記の２つの実施例にては、単位長さＬを１０ｃｍとしたが、これも適宜他の値を取り得るものであることはいうまでもないことである。
【図面の簡単な説明】
【００８７】
【図１】（ａ）本考案の実施例１の乳幼児用寝具の一部を切欠した平面図である。（ｂ）本考案の実施例１の乳幼児用寝具の正面図である。
【図２】（ａ）図１ａのＡ−Ａ断面図である。    （ｂ）図１ａのＢ−Ｂ断面図である。
【図３】（ａ）図２ａの一部を省略した拡大図である。    （ｂ）図２ｂの一部を省略した拡大図である。
【図４】本考案の実施例１の乳幼児用寝具の底面図である。
【図５】本考案の実施例１の乳幼児用寝具の一部を切欠した外観斜視図である。
【図６】（ａ）本考案の実施例１の乳幼児用寝具を組み替えて構成されるソファの一部を切欠した平面図である。    （ｂ）本考案の実施例１の乳幼児用寝具を組み替えて構成されるソファの正面図である。
【図７】（ａ）図６ａのＣ−Ｃ断面図である。    （ｂ）図６ａのＤ−Ｄ断面図である。
【図８】（ａ）図７ａの一部を省略した拡大図である。    （ｂ）図７ｂの一部を省略した拡大図である。
【図９】本考案の実施例１の乳幼児用寝具を組み替えて構成されるソファの底面図である。
【図１０】本考案の実施例１の乳幼児用寝具を組み替えて構成されるソファの外観斜視図である。
【図１１】本考案の実施例１の乳幼児用寝具を組み替えて構成されるソファの使用状態の一例を示す説明図である。
【図１２】本考案の実施例１の乳幼児用寝具を構成するブロックの外観斜視図である。
【図１３】本考案の実施例１の乳幼児用寝具を構成するブロックの一部を切欠した外観斜視図である。
【図１４】（ａ）本考案の実施例１の乳幼児用寝具のロ字状の枠体の内部に封入されるブロックの配置状態を、ロ字状の枠体を取り除いた状態で示した説明図である。    （ｂ）本考案の実施例１の乳幼児用寝具を組み替えて構成されるソファのコ字状の枠体の内部に封入されるブロックの配置状態を、コ字状の枠体を取り除いた状態で示した説明図である。
【図１５】（ａ）本考案の実施例２の乳幼児用寝具の一部を切欠した平面図である。（ｂ）本考案の実施例２の乳幼児用寝具の正面図である。
【図１６】（ａ）図１５ａのＥ−Ｅ拡大断面図である。    （ｂ）図１５ａのＦ−Ｆ拡大断面図である。
【図１７】（ａ）本考案の実施例２の乳幼児用寝具を組み替えて構成されるソファの一部を切欠した平面図である。（ｂ）本考案の実施例２の乳幼児用寝具を組み替えて構成されるソファの正面図である。
【図１８】（ａ）図１７ａのＧ−Ｇ拡大断面図である。    （ｂ）図１７ａのＨ−Ｈ拡大断面図である。
【図１９】（ａ）本考案の実施例２の乳幼児用寝具の外観斜視図である。    （ｂ）本考案の実施例２の乳幼児用寝具を組み替えて構成されるソファの外観斜視図である。
【図２０】（ａ）本考案の実施例２の乳幼児用寝具のロ字状の枠体の内部に封入される第１ブロック及び第２ブロックの配置状態を、ロ字状の枠体を取り除いた状態で示した説明図である。    （ｂ）本考案の実施例２の乳幼児用寝具を組み替えて構成されるソファのコ字状の枠体の内部に封入される第１ブロック及び第２ブロックの配置状態を、コ字状の枠体を取り除いた状態で示した説明図である。
【図２１】本考案の実施例２の乳幼児用寝具を構成する第１ブロックの外観斜視図である。
【図２２】本考案の実施例２の乳幼児用寝具を構成する第２ブロックの外観斜視図である。
【符号の説明】
【００８８】
１        ブロック
１１      第１ブロック
１２      第２ブロック
１ａ      本体
１１ａ    本体
１２ａ    本体
１ｂ      カバー
１１ｂ    カバー
１２ｂ    カバー
２        枠体
２ａ      補強布
２ｂ      補強布
２ｃ      補強布
２ｄ      開口部
２ｅ      開口部
２０      布
２１      長辺
２２      長辺
２３      短辺
２４      短辺
３        乳幼児用敷マット
３ａ      本体
３ｂ      本体
３ｃ      カバー
３ｄ      カバー
３ｅ      カバー
３ｆ      カバー
４        枠体
４ａ      補強布
４ｂ      開口部
４０      布
４１      辺
４２      辺
４３      辺
５        乳幼児用掛布団
５Ａ      袋体
５Ｂ      クッション
６        枠体
６ａ      補強布
６ｂ      補強布
６ｃ      補強布
６ｄ      開口部
６ｅ      開口部
６０      布
６１      辺
６２      辺
６３      辺
６４      辺
７        乳幼児用敷マット
７ａ      本体
７ｂ      本体
７ｃ      カバー
７ｄ      カバー
７ｅ      カバー
７ｆ      カバー
８        枠体
８ａ      補強布
８ｂ      開口部
８０      布
８１      辺
８２      辺
８３      辺
９        乳幼児用掛布団
９Ａ      袋体
９Ｂ      クッション
Ｂ１      乳幼児用寝具
Ｂ２      乳幼児用寝具
Ｃ１      空間
Ｃ２      空間
Ｃ３      空間
Ｃ４      空間
Ｄ１      奥行
Ｄ１１    奥行
Ｄ１２    奥行
Ｄ２ａ    奥行
Ｄ２ｂ    奥行
Ｄ３ａ    奥行
Ｄ３ｂ    奥行
Ｄ４ａ    奥行
Ｄ４ｂ    奥行
Ｄ５      奥行
Ｄ６ａ    奥行
Ｄ６ｂ    奥行
Ｄ７      奥行
Ｄ８ａ    奥行
Ｄ８ｂ    奥行
Ｄ９      奥行
Ｆ１      ファスナー
Ｆ２      ファスナー
Ｆ３      ファスナー
Ｆ４      ファスナー
Ｆ５      ファスナー
Ｆ６      ファスナー
Ｈ１      高さ
Ｈ１１    高さ
Ｈ１２    高さ
Ｈ２      高さ
Ｈ３      高さ
Ｈ４      高さ
Ｈ５      高さ
Ｈ６      高さ
Ｈ７ａ    高さ
Ｈ７ｂ    高さ
Ｈ８      高さ
Ｌ        単位長さ
Ｓ１      ソファ
Ｓ２      ソファ
Ｗ１      幅
Ｗ１１    幅
Ｗ１２    幅
Ｗ２ａ    幅
Ｗ２ｂ    幅
Ｗ３ａ    幅
Ｗ３ｂ    幅
Ｗ４ａ    幅
Ｗ４ｂ    幅
Ｗ６      幅
Ｗ７ａ    幅
Ｗ７ｂ    幅
Ｗ８ａ    幅
Ｗ８ｂ    幅
【図１】
0003142392.tif 000003
【図２】
0003142392.tif 000004
【図３】
0003142392.tif 000005
【図４】
0003142392.tif 000006
【図５】
0003142392.tif 000007
【図６】
0003142392.tif 000008
【図７】
0003142392.tif 000009
【図８】
0003142392.tif 000010
【図９】
0003142392.tif 000011
【図１０】
0003142392.tif 000012
【図１１】
0003142392.tif 000013
【図１２】
0003142392.tif 000014
【図１３】
0003142392.tif 000015
【図１４】
0003142392.tif 000016
【図１５】
0003142392.tif 000017
【図１６】
0003142392.tif 000018
【図１７】
0003142392.tif 000019
【図１８】
0003142392.tif 000020
【図１９】
0003142392.tif 000021
【図２０】
0003142392.tif 000022
【図２１】
0003142392.tif 000023
【図２２】
0003142392.tif 000024